(57)【特許請求の範囲】
【請求項１】
医療用寝台の天板上に配置され、かつ被検体が載置される天板マットが被検体の体格に応じて拡張できる補助部材を備えた医療用寝台マットにおいて、前記補助部材はシート状で、湾曲に変形できる素材にて形成されていることを特徴とする医療用寝台マット。
【請求項２】
前記補助部材の天板マットへの接合は、天板マットと補助部材を収納する袋状のカバーによりなされることを特徴とする請求項１記載の医療用寝台マット。
【発明の詳細な説明】
【０００１】
【発明の属する技術分野】
本発明は、Ｘ線ＣＴ装置やＸ線透視撮影装置等に使用される寝台に係るものであり、特に天板上に配置される被検体載置用の寝台マットに関する。
【０００２】
【従来の技術】
従来よりＸ線ＣＴ装置用の寝台は、図４（Ａ１）、図４（Ａ２）に示すように、被検体を載置したまま、断層撮影データを採取するガントリ内へ移動する可動部を有している。この可動部は天板２と、その上に被検体を載置する天板マット３とで構成されており、これら可動部が寝台本体４に設けられたスライド機構にて往復動される。図４（Ａ１）はガントリ内へ移動する前の状態を示し、図４（Ａ２）はガントリ内へ移動した状態を示している。
【０００３】
ところで、寝台本体４の上面部は図５に示すように、天板２と被検体１２を装置に対して確実に位置決めさせ載置するよう凹部１４を備えた構造となっている。言うまでもなくＸ線ＣＴ装置、および寝台の構造は被検体の標準体型を基本に構成されている。したがって、被検体１２が標準体型より大きい場合は、この寝台本体４の凹部１４に収まらない場合があり、はみでた腕部などの体側を支持する手段が必要である。図５はそうした標準体型以上の被検体１２が寝台上に仰臥位の姿勢で載置されている状態を示す図であり、寝台本体４の短辺方向に、被検体１２の胸部を断面した図である。
【０００４】
凹部１４を備えた寝台本体４上に天板２が配置され、その上には、はみ出した腕部などを支持する腕置き台５が介在され、さらにその上に天板マット３が配置されている。さらに固定ベルト６を、天板２や天板マット３とともに被検体１２の周囲に巻回させて拘束し、被検体１２を天板２上に固定している。したがって、腕置き台５を配置することで、被検体腕１２ａ、１２ｂが支持され、天板２上で体重のバランスがとれ、被検体１２は天板２上に安定して載置される。この腕置き台５の全体図は図６に示すとおりであるが、たとえばＸ線が透過できるポリカーボン材等で形成されている。
【０００５】
【発明が解決しようとする課題】
しかしながら、この腕置き台５のような形状の補助具を採用した場合、たとえＸ線吸収が少ない材質のポリカーボン等で構成してもＸ線を吸収するという問題が発生している。しかもそれらＸ線吸収が少ない材質のポリカーボン等は高価なものとなっている。また、図６に示すとおりの形状、すなわち、板状で重量もあるため、収納においても、また、天板上への設置の作業においても取り扱いが不便となっている。また、図５が示すように、固定ベルト６で固定する際には、天板２の横寸より横幅がはみ出た硬い板状の腕置き台５の構造が障害となり、被検体１２を安定して固定し難いという問題も有する。
【０００６】
本発明は、このような事情に鑑みなされたものであって、被検体が標準体型より大きい場合であっても、その被検体を天板上に仰臥位の姿勢で安定して保持することができ、また、Ｘ線の無駄な吸収が発生しない医療用寝台マットを提供せんとするものである。
【０００７】
【課題を解決するための手段】
本発明が提供する医療用寝台マットは、上記課題を解決するために、Ｘ線ＣＴ装置やＸ線透視撮影装置の寝台の天板上に配置され、かつ被検体が載置される天板マットであって、前記マットに被検体の体格に応じて拡張する補助部材を配設し、補助部材はシート状に形成された一対の補助シートにより構成され、かつ湾曲に変形できる素材にて形成されている。さらに本発明の寝台マットは天板マットを収納する袋状のカバーの両側部に一対の補助シート収納ポケットが配設され、前記補助シートはこのポケットを介して天板マットに接し、天板マットより着脱自在に構成する。したがって、被検体が標準体型より大きい場合でも天板マットがその体型に応じた仕様に構成でき、被検体を天板上に仰臥位の姿勢で安定して保持することができる。
【０００８】
【発明の実施の形態】
以下、本発明について実施例を示す図面に基づいて説明する。
図１は本発明が適用された寝台マット１の構成を示す図で、Ｘ線ＣＴ装置用の寝台の天板上に載置されるものである。図１（Ａ）は本発明の寝台マット１の全体を裏側より、すなわち、天板に接する側より斜視的に示し、また、図１（Ｂ）は寝台マット１を主として構成する天板マット３と補助シート１１ａ、１１ｂを寝台マット１のマットカバー８より取出して示す図である。この補助シート１１ａ、１１ｂが補助部材である。
【０００９】
本発明が提供するこの寝台マット１は、具体的には、一方の短辺に２つの開口部１３ａ、１３ｂを有する、２つのポケット１０ａ、１０ｂと、中央に開口部１３ｃを有する中央ポケット９からなる袋状の布製のマットカバー８と、そのマットカバー８の中央ポケット９に挿入される天板マット３と、両サイドのポケット１０ａ、１０ｂに挿入される一対の補助シート１１ａ、１１ｂより構成されている。この補助シート１１ａ、１１ｂは厚さ２ｍｍ程度のポリオレフィンなどのソフトポリマーから出来ており、適度な堅さを持ちつつ湾曲可能である。
【００１０】
なお、図１（Ａ）と、図１（Ｂ）に示すとおり、マットカバー８から、補助シート１１ａ、１１ｂと天板マット３は挿脱可能であるが、補助シート１１ａ、１１ｂはポケット１０ａ、１０ｂの開口部１３ａ、１３ｂよりそれぞれ装着する。天板マット３は開口部１３ｃより中央ポケット９内へ装着し、バンド７を介してマットカバー８内に保持される。
【００１１】
次に標準体型より大柄な被検体をＸ線ＣＴ診断装置用の寝台に載置する行程を図１、図２、図３により説明する。尚、図２（Ａ）、図２（Ｂ）は、図１（Ａ）に示す寝台マット１を含めて寝台ごと被検体１２を寝台の短辺方向に胸部辺で断面した図であるが、図１（Ａ）に示めす本発明の寝台マット１の構成部材であるマットカバー８は省略して示している。
【００１２】
まず、前準備として図１（Ａ）に示したマットカバー８を図２（Ａ）が示す天板２上に敷き、マットカバー８の中央ポケット９の開口部１３ｃより、天板マット３を内包させる。次に、補助シート１１ａ、１１ｂをマットカバー８の一方短辺にある開口部１３ａ、１３ｂに挿入する。そして、図２（Ａ）が示すように、その上に被検体１２を仰臥位の姿勢で載置し、寝台本体４の凹部１４よりはみ出た体側、すなわち両腕を補助シート１１ａ、１１ｂに載せる。そして、さらに図２（Ｂ）のように固定ベルト６を巻回させて固定する。こうして被検体１２は天板２上に載置されるが、図３は図２（Ｂ）の状態を斜視的に示す図である。
【００１３】
さらに補助シート部１１ａ、１１ｂの機能を説明する。図２（Ａ）、図２（Ｂ）は前述のとおり被検体１２を載置した状態であるが、まず、図２（Ａ）では、補助シート部１１ａ、１１ｂは天板マット３にかかった被検体１２の体重により傾斜して体側に沿っており、程よく両腕、被検体腕１２ａ、１２ｂを包むような形を形成している。したがって、本発明による図１（Ａ）の寝台マット１は、天板マット３、補助シート部１１ａ、１１ｂ、および、これらを内包するマットカバー８により被検体１２を保持するようになっている。
【００１４】
次に、図２（Ｂ）は固定ベルト６を着用した例であるが、補助シート部１１ａ、１１ｂは固定ベルト６の作用で湾曲し被検体１２の体側に添い巻付けられる。そして、この図２（Ｂ）に示す状態で被検体１２は断層撮影用データを採取部するガントリ内へ移送されることになる。断層撮影時には、補助シート１１ａ、１１ｂと天板マット３との結合は図１（Ａ）のマットカバー８により、補助シート１１ａ、１１ｂが、体側を支持する支持力を持つよう、かつ天板マット３には重なりが最小限であるよう調整された重なりに配置される。したがって、被検体１２の胴体部は、ほぼ天板２上に天板マット３のみを介して載置されるので断層撮影時には無駄なＸ線吸収がなく撮影される。
【００１５】
なお、標準体型やそれ以下の体格の被検体の場合、また、頭部のみの撮影の場合は、補助シートは必要なく、収納場所に保管できるが、シートが縦１９８０ｍｍ、横１５０ｍｍ、厚さ２ｍｍのサイズのソフトポリマーであるため、軽量でありロール状にコンパクト収納できる。
【００１６】
また、Ｘ線ＣＴ装置による断層撮影時には病変部の特性や臓器、組織の機能検査のため、造影材とよばれるＸ線吸収係数の高い薬剤が被検体の腕に静脈注射により投与されるが、その際の注射をする側の腕を安定させて固定するために片側利用できる。また、造影材の注射により図１（Ａ）の寝台マット１は血液の付着などの汚れも発生するが、マットカバー８はクリーニングし易い形状である。
【００１７】
本発明が提供するＸ線ＣＴ診断装置およびＸ線透視撮影装置などの医療用の寝台に使用されるマットは以上説明したとおりであるが、上記ならびに図示例に限定されるものではなく、種々の変形例を挙げることができる。例えば、補助シートは本体マットと同包されるカバーに内包される形としたが、本体マットとは切り離した状態で採用することもできる。また、天板マット本体に内蔵させ、伸張する機構を設け採用することもできる。さらに、固定ベルトはマットカバーに、その構造を持たせることなどもできる。
【００１８】
【発明の効果】
本発明によると、寝台マットは被検体が標準以上の体型であっても、被検体の体側を天板に安定的に固定し、保持する機構を有するので、安全な診断が行える。しかも、その寝台マットは無駄なＸ線の吸収を防ぐ構成のため、より精緻なデータを得ることを可能にしている。また、前記マットの補助シート部は着脱可能であり、軽量で取り扱いが便利であり、収納時にも、装着作業時にも作業者の負担にならない。さらになにより、被検体の寝台上での寝心地を向上させ、治療時の被検体の負担を軽減している。
【図面の簡単な説明】
【図１】  本発明の医療用寝台マットの全体構成を斜視的に示す図である。
【図２】  本発明の医療用寝台マットの使用状態を断面して示す図である。
【図３】  本発明の医療用寝台マットの使用状況を示す図である。
【図４】  Ｘ線ＣＴ装置用の寝台を測方より示す図である。
【図５】  従来の医療用寝台マットによる使用状態を断面して示す図である。
【図６】  従来の医療用寝台マットに使用される補助手段を斜視的に示す図である。
【符号の説明】
１…寝台マット
２…天板
３…天板マット
４…寝台本体
５…腕置き台
６…固定ベルト
７…ベルト
８…マットカバー
９…中央ポケット
１０ａ、１０ｂ…ポケット
１１ａ、１１ｂ…補助シート
１２…被検体
１２ａ、１２ｂ…被検体腕
１３ａ、１３ｂ、１３ｃ…開口部
１４…凹部
【図１】
0004013559.tif 000002
【図２】
0004013559.tif 000003
【図３】
0004013559.tif 000004
【図４】
0004013559.tif 000005
【図５】
0004013559.tif 000006
【図６】
0004013559.tif 000007